(57)【特許請求の範囲】
【請求項１】
コンクリート型枠の連接部（Ｐ）を形成する型枠の締付け対象部（１０）をクランプし押圧するため、硬質な合成樹脂製の略コ字型を形成する一対のクランプアーム（２，３）および押圧用のレバー（５）を備えるコンクリート型枠用締結具であって、
一方のクランプアーム（２）は、Ｌ字型形状で、締付け時に型枠に略垂直な辺（２Ｃ）、これに略直角に連続する辺（２Ｂ）、さらに連続し一端にヒンジ結合部を有するヒンジ辺部（２Ａ）を有し、
他方のクランプアーム（３）は、Ｌ字型形状で、締付け時に型枠に略垂直な辺（３Ｃ）、これに略直角に連続する辺（３Ｂ）、さらに連続し一端にヒンジ結合部を有するヒンジ辺部（３Ａ）を有し、ヒンジ辺部（３Ａ）と一方のクランプアーム（２）のヒンジ辺部（２Ａ）で型枠に略垂直な辺（２Ｃ，３Ｃ）が開閉可能に枢着され、型枠に略垂直な辺（３Ｃ）に略直角に連続する辺（３Ｂ）と型枠に略垂直な辺（３Ｃ）が交わるＬ字型折曲肩部（７）から型枠に略垂直な辺（３Ｃ）上で外側に設けられた隆起面部（７Ａ）を有し、
クランプレバー体（５）は、一方のクランプアーム（２）に一対のアーム部（５Ａ，５Ａ）先端で回動可能に枢着され、他方のクランプアーム（３）の型枠に略垂直な辺（３Ｃ）の隆起面部（７Ａ）に外接係合可能で一対のアーム部（５Ａ，５Ａ）間の開口部（６）に連接されている係合押圧面（６Ａ）を有し、他方のクランプアーム（３）側へ回動させられて当該他方のクランプアーム（３）の隆起面部（７Ａ）に、係合押圧面（６Ａ）を係合押圧し、締付け対象部（１０）を両クランプアーム（２，３）の型枠に略垂直な辺（２Ｃ，３Ｃ）間で押圧し、
係合押圧面（６Ａ）が折曲肩部（７）に係合されない状態では両クランプアーム相互間がコ字型から開いた状態を形成可能であり、係合押圧面（６Ａ）が隆起面部（７Ａ）に係合した状態では両クランプアーム相互間がコ字型から閉じた状態を形成可能であるコンクリート型枠用締結具。
【請求項２】
一対のクランプアーム（２，３）のヒンジ辺部（２Ａ，３Ａ）同士は互いに回動可能となるようにリベット部材（８）で締結され、
クランプレバー体（５）は一方のクランプアーム（２）に対し回動可能となるように一対のアーム部（５Ａ，５Ａ）先端がリベット部材（９）で締結されている請求項１記載のコンクリート型枠用締結具。
【請求項３】
クランプレバー体（５）の一対のアーム部（５Ａ，５Ａ）相互間の開口部（６）の係合押圧面（６Ａ）が、他方のクランプアーム（３）の折曲肩部（７）に係合されない状態ではクランプアーム（２，３）のリベット部材（８）で締結されているヒンジ辺部（２Ａ，３Ａ）が略直線状に伸びた状態を形成でき、
係合された状態ではリベット部材（８）で締結されているヒンジ辺部（２Ａ，３Ａ）がリベット部材（８）部で折曲された状態を形成できる請求項１記載のコンクリート型枠用締結具。
【請求項４】
クランプレバー体（５）の一対のアーム部（５Ａ，５Ａ）相互間の開口部（６）の係合押圧面（６Ａ）に係合される他方のクランプアーム（３）のＬ字型折曲肩部（７）において、型枠に略垂直な辺（３Ｃ）側で、ヒンジ辺部（２Ａ，３Ａ）のリベット締結部分に対して反対側に緩やかに湾曲した隆起面部（７Ａ）が設けられていることを特徴とする請求項１記載のコンクリート型枠用締結具。
【発明の詳細な説明】
【０００１】
【発明の属する技術分野】
本発明は、コンクリートの打設作業に際し予め設置される木製等のコンクリート型枠の連接部を挟持固定するためのコンクリート型枠用締結具に関する。
【０００２】
【従来の技術】
従来、プラスチック型枠の連結に使用している鋼製のカム機構を利用したＰクランプなるものがあり、このＰクランプ自体は一般の木製型枠の連結に利用されているものを流用したものである。
【０００３】
【発明が解決しようとする課題】
しかしながらこのような従来のＰクランプは、耐久性がなく、しかもコンクリート打設時に必ず行なわれるバイブレータによる振動に非常に弱いものである。すなわち、耐久性のない理由は、Ｐクランプのレバーが使用しているうちにストッパーを乗り越えてしまい、以後の使用に対し不具合が生じてしまうからである。これは素手でなくとも工具等で回しても同じこととなる。しかも使用方法の制限厳守に基づき多くの職人が使用している中でも現実的に不可能であった。このためストッパーの改善を図ろうとしても費用の面で実現不可能であった。
【０００４】
また、振動に弱いことの理由は、コンクリート打設時に、コンクリートの周囲をしっかりとしたものにするためバイブレータをかけるのであるが、そのバイブレータの振動によって、型枠の連接部に組み付けられているＰクランプ自体に緩みが発生するからである。そのために職人は度々Ｐクランプの状態を見ながら増す締め作業を行なう必要があり、作業上非常に面倒なものとなる等の問題点があった。
【０００５】
そこで本発明は叙上のような従来存した諸事情に鑑み創出されたもので、従来のＰクランプに比して耐久性を向上させることができ、しかもコンクリート打設時に必ず行なわれるバイブレータによる振動にも強く耐えることのできるコンクリート型枠用締結具を提供することを目的とする。
【０００６】
【課題を解決するための手段】
上述した課題を達成するため、本発明による請求項１記載のコンクリート型枠用締結具は、
コンクリート型枠の連接部Ｐを形成する型枠の締付け対象部１０をクランプし押圧するため、硬質な合成樹脂製の略コ字型を形成する一対のクランプアーム２，３および押圧用のレバー５を備えるコンクリート型枠用締結具であって、
一方のクランプアーム２は、Ｌ字型形状で、締付け時に型枠に略垂直な辺２Ｃ、これに略直角に連続する辺２Ｂ、さらに連続し一端にヒンジ結合部を有するヒンジ辺部２Ａを有し、
他方のクランプアーム３は、Ｌ字型形状で、締付け時に型枠に略垂直な辺３Ｃ、これに略直角に連続する辺３Ｂ、さらに連続し一端にヒンジ結合部を有するヒンジ辺部３Ａを有し、ヒンジ辺部３Ａと一方のクランプアーム２のヒンジ辺部２Ａで型枠に略垂直な辺２Ｃ，３Ｃが開閉可能に枢着され、型枠に略垂直な辺３Ｃに略直角に連続する辺３Ｂと型枠に略垂直な辺３Ｃが交わるＬ字型折曲肩部７から型枠に略垂直な辺３Ｃ上で外側に設けられた隆起面部７Ａを有し、
クランプレバー体５は、一方のクランプアーム２に一対のアーム部５Ａ，５Ａ先端で回動可能に枢着され、他方のクランプアーム３の型枠に略垂直な辺３Ｃの隆起面部７Ａに外接係合可能で一対のアーム部５Ａ，５Ａ間の開口部６に連接されている係合押圧面６Ａを有し、他方のクランプアーム３側へ回動させられて当該他方のクランプアーム３の隆起面部７Ａに、係合押圧面６Ａを係合押圧し、締付け対象部１０を両クランプアーム２，３の型枠に略垂直な辺２Ｃ，３Ｃ間で押圧し、
係合押圧面６Ａが折曲肩部７に係合されない状態では両クランプアーム相互間がコ字型から開いた状態を形成可能であり、係合押圧面６Ａが隆起面部７Ａに係合した状態では両クランプアーム相互間がコ字型から閉じた状態を形成可能である。
本発明による請求項２記載のコンクリート型枠用締結具は、請求項１記載のコンクリート型枠用締結具において、
一対のクランプアーム２，３のヒンジ辺部２Ａ，３Ａ同士は互いに回動可能となるようにリベット部材８で締結され、
クランプレバー体５は一方のクランプアーム２に対し回動可能となるように一対のアーム部５Ａ，５Ａ先端がリベット部材９で締結されている。
本発明による請求項３記載のコンクリート型枠用締結具は、請求項１記載のコンクリート型枠用締結具において、
クランプレバー体５の一対のアーム部５Ａ，５Ａ相互間の開口部６の係合押圧面６Ａが、他方のクランプアーム３の折曲肩部７に係合されない状態ではクランプアーム２，３のリベット部材８で締結されているヒンジ辺部２Ａ，３Ａが略直線状に伸びた状態を形成でき、
係合された状態ではリベット部材８で締結されているヒンジ辺部２Ａ，３Ａがリベット部材８部で折曲された状態を形成できる。
本発明による請求項４記載のコンクリート型枠用締結具は、請求項１記載のコンクリート型枠用締結具において、
クランプレバー体５の一対のアーム部５Ａ，５Ａ相互間の開口部６の係合押圧面６Ａに係合される他方のクランプアーム３のＬ字型折曲肩部７において、型枠に略垂直な辺３Ｃ側で、ヒンジ辺部２Ａ，３Ａのリベット締結部分に対して反対側に緩やかに湾曲した隆起面部７Ａが設けられていることを特徴とする。
【０００７】
以上のように構成された本発明に係るコンクリート型枠用締結具において、クランプレバー体５は、他方のクランプアーム３側へ回動させて当該他方のクランプアーム３のＬ字型折曲肩部７に続く型枠に略垂直な辺３Ｃ上の隆起面部７Ａに、一対のアーム部５Ａ，５Ａ相互間に形成された開口部６の係合押圧面６Ａを係合させることによって、他方のクランプアーム３は一方のクランプアーム２側へ押され、締付け対象部１０を挟持する両クランプアーム同士を押圧することになり、これにより一方のクランプアーム２と他方のクランプアーム３との間でコンクリート型枠の連接部Ｐを強固に挟持固定させる。
クランプレバー体５の一対のアーム部５Ａ，５Ａ相互間の開口部６の係合押圧面６Ａが、他方のクランプアーム３のＬ字型折曲肩部７に係合されない状態ではクランプ体４のリベット締結部分を含むヒンジ辺部２Ａ，３Ａが略直線状に伸びた状態であるため、両クランプアーム相互間がコ字型に対し若干開いた状態となってクランプ体４によるコンクリート型枠の連接部Ｐを形成する締付け対象部１０へのスムーズな挟持装着を可能にさせる。
また、クランプレバー体５の一対のアーム部５Ａ，５Ａ相互間の開口部６の係合押圧面６Ａが、他方のクランプアーム３のＬ字型折曲肩部７に続く隆起面部７Ａに係合された状態ではクランプ体４のリベット締結部分でヒンジ辺部２Ａ，３Ａが略三角形状に折曲された状態となるため、両クランプアーム相互間がコ字型に対し若干閉じた状態となってコンクリート型枠の連接部Ｐを形成する締付け対象部１０を挟持しているクランプ体４が締め付けられるのに伴い保持力が増強される。
他方のクランプアーム３のＬ字型折曲肩部７から図示のように型枠に略垂直な辺３Ｃ上で外側へ向けて緩やかに湾曲した隆起面部７Ａが、クランプレバー体５の一対のアーム部５Ａ，５Ａ相互間の開口部６の係合押圧面６Ａに係合された際においては、クランプレバー体５自体は図２において反時計方向に回動して隆起面部７Ａを乗り上げられないものとなって当該クランプレバー体５の振動に伴う抜脱方向への回動を阻止させる。
【０００８】
【発明の実施の形態】
以下図面を参照して本発明の一実施の形態を説明すると、図において示される符号１は、コンクリートの打設作業に際し予め設置される木製等のコンクリート型枠部材の縁枠部同士を合致させた連接部Ｐをしっかりと挟持固定するための例えば硬質な合成樹脂製から成るコンクリート型枠用の締結具本体である。
【０００９】
この締結具本体１は、図１、図２および図３に示すように、Ｌ字型形状を呈する一対のクランプアーム（２，３）の端部同士を互いに回動可能となるようにリベット締結してコンクリート型枠の連接部Ｐを形成する締付け対象部１０を挟持可能にした略コ字型のクランプ体４を備えている。すなわち、Ｌ字型形状を呈する一方のクランプアーム２の一端部を上下方向の幅員よりも狭幅な円筒状部分を含む雄側ヒンジ辺部２Ａに形成し、Ｌ字型形状を呈する他方のクランプアーム３の一端部を略コ字型に窪ませて雄側ヒンジ辺部２Ａの円筒状部分の幅厚と略同じ幅員をもって対向配置させた一対の円筒状部分を含む雌側ヒンジ辺部３Ａを形成し、雌側ヒンジ辺部３Ａの一対の円筒状部分相互間に雄側ヒンジ辺部２Ａの円筒状部分を嵌合させてから両者円筒の孔に挿入したリベット部材８によって互いに回動可能となるように枢着してある。
【００１０】
また、一方のクランプアーム２の上下側面には、クランプアーム２自体に対し回動可能となるようにクランプレバー体５の一対のアーム部５Ａ，５Ａ先端がそれぞれリベット締結されている。すなわちクランプレバー体５は、帯板状部材の一端部側中央から長手方向に沿って矩形状に切欠することで中央の開口部６を介して上下側にアーム部５Ａが対向配置されたものであって、両アーム部５Ａ先端に形成した孔を、一方のクランプアーム２のヒンジ辺部２Ａにおいて上下面を貫通形成した孔に合致させ、両孔に挿入したリベット部材９によって互いに回動可能となるように枢着してある。
【００１１】
このときクランプレバー体５のリベット締結部位から開口部６の奥行きまでの長さは、他方のクランプアーム３の雌側ヒンジ辺部３Ａのリベット締結部位とＬ字型折曲肩部７までの長さと、一方のクランプアーム２の雄側ヒンジ辺部２Ａのリベット締結部位とクランプレバー体５のリベット締結部位までの長さとの和よりも短くなるように形成してある。これによりクランプレバー体５の一対のアーム部５Ａ，５Ａ相互間の開口部６の係合押圧面６Ａが、他方のクランプアーム３のＬ字型折曲肩部７に係合されない状態ではクランプ体４のリベット締結部分を含むヒンジ辺部２Ａ，３Ａが略直線状に伸びた状態であり、係合された状態ではリベット締結部分でヒンジ辺部２Ａ，３Ａが略三角形状に折曲された状態となるものとしている。
【００１２】
こうしてクランプレバー体５を他方のクランプアーム３側へ回動させて当該他方のクランプアーム３のＬ字型折曲肩部７に続く型枠に略垂直な辺３Ｃ上の隆起面部７Ａに、両アーム部５Ａ相互間に形成された開口部６の係合押圧面６Ａを係合させることによって他方のクランプアーム３を一方のクランプアーム２側へ押圧し、両クランプアーム（２，３）同士で締付け対象部１０を押圧可能となるようにしてある。
【００１３】
また、クランプレバー体５の一対のアーム部５Ａ，５Ａ相互間の開口部６の係合押圧面６Ａに係合される他方のクランプアーム３の隆起面部７Ａは、Ｌ字型折曲肩部７から図示のように型枠に略垂直な辺３Ｃ上で、ヒンジ辺部２Ａ，３Ａのリベット締結部分に対して反対側に緩やかに湾曲して形成されている。
【００１４】
次に以上のように構成された実施の形態についての使用の一例を説明する。図１に示すように、先ず、締結具本体１のクランプレバー体５の開口部６を他方のクランプアーム３のＬ字型折曲肩部７から解放しておき、クランプ体４のリベット締結部分の両側が略直線状に伸びた状態にしておく。そして、コンクリート型枠部材の締付け対象部１０を形成する縁枠部同士を合致させた連接部Ｐをクランプ体４で挟着しておき、クランプレバー体５の端部側を例えば５００ｋｇＷ以上の力で強く叩き込む等してクランプレバー体５を他方のクランプアーム３側へ押し込み回動させると、一対のアーム部５Ａ，５Ａ相互間の開口部６の係合押圧面６Ａが、他方のクランプアーム３のＬ字型折曲肩部７に続く型枠に略垂直な辺３Ｃ上の隆起面部７Ａに係合される。このときクランプレバー体５によって他方のクランプアーム３を一方のクランプアーム２側へ押し付けて締付け対象部１０を挟持する両クランプアーム同士を強固に押圧するので、コンクリート型枠の連接部Ｐに対する締結具本体１の挟着力が増強されるのである。
【００１５】
しかもこのとき他方のクランプアーム３のＬ字型折曲肩部７から型枠に略垂直な辺３Ｃ上で外側へ向けて緩やかに湾曲した隆起面部７Ａが、クランプレバー体５の一対のアーム部５Ａ，５Ａ相互間の開口部６の係合押圧面６Ａにしっかりと係合された状態となっており、このためクランプレバー体５自体は図２において反時計方向に回動して隆起面部７Ａを乗り上げられないものとなって当該クランプレバー体５の振動に伴う抜脱方向への回動が阻止できるものとなる。一方、コンクリート型枠の連接部Ｐを形成する締付け対象部１０から締結具本体１を取り外す場合には、クランプレバー体５を他方のクランプアーム３のＬ字型折曲肩部７の位置から解放させれば簡単に締結具本体１を取り外すことができる。
【００１６】
【発明の効果】
本発明は以上のように構成されているために、従来のＰクランプに比して耐久性を向上させることができ、しかもコンクリート打設時に必ず行なわれるバイブレータによる振動にも強く耐えることができる。
【００１７】
すなわちこれは本発明が、Ｌ字型形状を呈する一対のクランプアーム（２，３）の端部同士を互いに回動可能となるようにリベット締結し、コンクリート型枠の連接部Ｐを形成する締付け対象部１０を挟持可能にして成る略コ字型のクランプ体４と、一方のクランプアーム２に対し回動可能となるように一対のアーム部５Ａ，５Ａ先端がリベット締結され、他方のクランプアーム３側へ回動させて当該他方のクランプアーム３のＬ字型折曲肩部７に続く型枠に略垂直な辺３Ｃ上の隆起面部７Ａに、一対のアーム部５Ａ，５Ａ相互間に形成された開口部６の係合押圧面６Ａを係合させることによって他方のクランプアーム３を一方のクランプアーム２側へ押し付け、締付け対象部１０を挟持する両クランプアーム同士を押圧させるクランプレバー体５とから成るからであり、これにより一方のクランプアーム２と他方のクランプアーム３との間でコンクリート型枠の連接部Ｐを形成する締付け対象部１０を強固に挟持固定させることができ、振動に対しても非常に強いものとなる。
【００１８】
また、クランプレバー体５の一対のアーム部５Ａ，５Ａ相互間の開口部６の係合押圧面６Ａが、他方のクランプアーム３のＬ字型折曲肩部７に係合されない状態ではクランプ体４のリベット締結部分を含むヒンジ辺部２Ａ，３Ａが略直線状に伸びた状態であり、係合された状態ではリベット締結部分でヒンジ辺部２Ａ，３Ａが略三角形状に折曲された状態となるので、他方のクランプアーム３のＬ字型折曲肩部７に係合されない状態では両クランプアーム相互間がコ字型に対し若干開いた状態となってクランプ体４によるコンクリート型枠の連接部Ｐを形成する締付け対象部１０への挟持装着をスムーズに行なうことができると共に、他方のクランプアーム３のＬ字型折曲肩部７に続く型枠に略垂直な辺３Ｃ上の隆起面部７Ａに係合された状態では両クランプアーム相互間がコ字型に対し若干閉じた状態となってコンクリート型枠の連接部Ｐを形成する締付け対象部１０を挟持しているクランプ体４が押圧され、これにより保持力を一層増強させることができる。
【００１９】
さらに、クランプレバー体５の一対のアーム部５Ａ，５Ａ相互間のコ字型開口部６の係合押圧面６Ａに係合される他方のクランプアーム３のＬ字型折曲肩部７には、Ｌ字型折曲肩部７から型枠に略垂直な辺３Ｃ上で外側へ向けて緩やかに湾曲した隆起面部７Ａが連設されているので、他方のクランプアーム３のＬ字型折曲肩部７に続く型枠に略垂直な辺３Ｃ上の隆起面部７Ａがクランプレバー体５の一対のアーム部５Ａ，５Ａ相互間のコ字型開口部６の係合押圧面６Ａに係合された状態ではクランプレバー体５自体は図２において反時計方向に回動して隆起面部７Ａを乗り上げることができず、当該クランプレバー体５の振動に伴う抜脱方向への回動を阻止させることができる。
【図面の簡単な説明】
【図１】  本発明のコンクリート型枠用締結具の一実施の形態における取付状態を説明する概略斜視図である。
【図２】  同じく取付状態を説明する概略横断面図である。
【図３】  本発明のコンクリート型枠用締結具の取付状態を締結具側から見た平面図である。
【符号の説明】
Ｐ…コンクリート型枠の連接部
１…締結具本体
２…一方のクランプアーム
２Ａ…雄側ヒンジ辺部
２Ｂ…型枠に略垂直な辺（２Ｃ）に略直角に連続する辺
２Ｃ…型枠に略垂直な辺
３…他方のクランプアーム
３Ａ…雌側ヒンジ辺部
３Ｂ…型枠に略垂直な辺（３Ｃ）に略直角に連続する辺
３Ｃ…型枠に略垂直な辺
４…クランプ体
５…クランプレバー体
５Ａ，５Ａ…一対のアーム部
６…開口部
６Ａ…係合押圧面
７…Ｌ字型折曲肩部
７Ａ…隆起面部
８，９…リベット部材
１０…締付け対象部
【図１】
0004010902.tif 000002
【図２】
0004010902.tif 000003
【図３】
0004010902.tif 000004